(57)【特許請求の範囲】
【請求項１】
ベッドフレームと、
このベッドフレームの側部に設けられた差込孔を有する保持部材と、
一対の脚部及び脚部の中途部に設けられた取付け部を有し、上記脚部の下端部を上記差込孔に挿入して上記ベッドフレームの側部に着脱可能に設けられた側柵と、
この側柵の上記取付け部に回動可能に係合する係合部を有する第１の部材及びこの第１の部材に一体的に結合された第２の部材を有し、上記係合部を上記取付け部に係合させて上記第１の部材を回動させることで上記第２の部材を上記保持部材に係合させて上記脚部が上記差込孔から抜出するのを阻止する抜け止め具とを具備し、
上記抜け止め具は、弾性を有する棒状部材をＶ字状に曲成するとともにその両端部を逆Ｕ字状に曲成して上記係合部が形成された上記第１の部材と、この第１の部材の中途部の屈曲部分に中途部が連結固定されたほぼ直線状の棒状部材からなる上記第２の部材とによって形成されていて、
上記係合部を上記取付け部に係合させて上記第１の部材を回動させ、この第１の部材のＶ字状の幅寸法を小さくして高さ寸法を大きくする弾性変形によって上記第２の部材を上記保持部材の差込孔から突出した上記脚部の下端を乗り越えさせて上記保持部材に係合させることを特徴とするベッド装置。
【請求項２】
上記第２の部材には排液用バッグが保持されることを特徴とする請求項１記載のベッド装置。
【発明の詳細な説明】
【０００１】
【発明の属する技術分野】
この発明はベッドフレームの側部に側柵が着脱可能に設けられるベッド装置に関する。
【０００２】
【従来の技術】
一般に、ベッド装置はベッドフレームを有し、このベッドフレームには床板体が設けられ、この床板体上にマットレスが載置される。そして、このマットレス上に利用者が仰臥するようになっている。
【０００３】
ベッド装置が病院用などの場合には、上記ベッドフレームの側部に、その側部の所定の範囲の部分に側柵を着脱可能に設けるようにしている。この側柵は、利用者がマットレス上で上半身を起こしたり、立ち上がるときに捉まったり、あるいは利用者に掛けた寝具がずれ落ちるのを防止するなどの種々の用途に利用される。
【０００４】
一方、利用者がマットレス上から降りたり、医師の診察や介護者の看護を受ける場合などには上記側柵が邪魔になるから、そのような場合にはベッドフレームから取り外すようにしている。
【０００５】
【発明が解決しようとする課題】
従来、上記側柵をベッドフレームの側部に着脱可能に設けるためには、側柵に一対の脚部を設ける一方、ベッドフレームの側部には保持部材を設け、この保持部材に上記脚部の下端部が挿入される差込孔を形成する。そして、側柵は、上記差込孔に脚部を挿入することで、ベッドフレームの側部に着脱可能に設けるようにしている。
【０００６】
しかしながら、側柵の脚部を保持部材の差込孔に単に挿入して側柵を着脱可能に設けるようにしただけでは、この側柵に不用意な力が加わると、脚部の下端部が差込孔から抜けて側柵が外れてしまうという虞があった。
【０００７】
この発明は側柵をベッドフレームの側部に設けた場合、その側柵の脚部を保持部材の差込孔に挿入するだけでなく、挿入された脚部が差込孔から抜け出るのを防止できるようにしたベッド装置を提供することにある。
【０００８】
【課題を解決するための手段】
請求項１の発明は、ベッドフレームと、
このベッドフレームの側部に設けられた差込孔を有する保持部材と、
一対の脚部及び脚部の中途部に設けられた取付け部を有し、上記脚部の下端部を上記差込孔に挿入して上記ベッドフレームの側部に着脱可能に設けられた側柵と、
この側柵の上記取付け部に回動可能に係合する係合部を有する第１の部材及びこの第１の部材に一体的に結合された第２の部材を有し、上記係合部を上記取付け部に係合させて上記第１の部材を回動させることで上記第２の部材を上記保持部材に係合させて上記脚部が上記差込孔から抜出するのを阻止する抜け止め具とを具備し、
上記抜け止め具は、弾性を有する棒状部材をＶ字状に曲成するとともにその両端部を逆Ｕ字状に曲成して上記係合部が形成された上記第１の部材と、この第１の部材の中途部の屈曲部分に中途部が連結固定されたほぼ直線状の棒状部材からなる上記第２の部材とによって形成されていて、
上記係合部を上記取付け部に係合させて上記第１の部材を回動させ、この第１の部材のＶ字状の幅寸法を小さくして高さ寸法を大きくする弾性変形によって上記第２の部材を上記保持部材の差込孔から突出した上記脚部の下端を乗り越えさせて上記保持部材に係合させることを特徴とするベッド装置にある。
【００１０】
請求項２の発明は、上記第２の部材には排液用バッグが保持されることを特徴とする請求項１記載のベッド装置にある。
【００１１】
請求項１の発明によれば、側柵の脚部を保持部材の差込孔に挿入して側柵をベッドフレームに設けたときに、抜け止め具の第１の部材を側柵に係合させ、この第１の部材に一体的に連結された第２の部材を保持部材に係合させることで、側柵を抜け止め部材によって保持部材に保持できるから、側柵の脚部が差込孔から抜け出るのを防止できる。
【００１２】
請求項２の発明によれば、第２の部材を排液用のバッグを保持するために利用できるから、排液用のバッグを保持するために専用の部材を用いずにすむ。
【００１３】
【発明の実施の形態】
以下、この発明の一実施の形態を図面を参照して説明する。
【００１４】
図１はベッド装置の側面図で、このベッド装置はベースフレーム１を備えている。このベースフレーム１は矩形枠状に形成されていて、その四隅部の下面にはそれぞれストッパ付きのキャスタ２が設けられている。
【００１５】
上記ベースフレーム１の四隅部には取付け部材３（２つのみ図示）が立設されている。各取付け部材３の上端部には上下用アーム４の一端が回動可能に連結されている。ベースフレーム１の長手方向一端側に設けられた一対の上下用アーム４の他端は、矩形枠状のベッドフレーム５の一端部下面に設けられた一対の第１の取付け部６ａに回動可能に連結され、他端側に設けられた一対の上下用アーム４の他端は、上記ベッドフレーム５の他端部下面に設けられた第２の取付け部６ｂに回動可能に連結されている。
【００１６】
上記各上下用アーム４は、図示しない上下駆動機構によって矢印方向に回動駆動されるようになっている。それによって、上記ベッドフレーム５はベースフレーム１上で上昇方向に駆動されるようになっている。
【００１７】
上記ベッドフレーム５の長手方向一端にはヘッドボード枠７が設けられ、他端にはフットボード枠８が設けられている。上記ベッドフレーム５上には床板体１１が設けられている。この床板体１１は第１乃至第４の床部１２ａ〜１２ｄに分割されている。各床部１２ａ〜１２ｄは互いに回動可能に連結されているとともに、ヘッドボード枠７側から３番面の第３の床部１２ｃはベッドフレーム５に固定されている。
【００１８】
上記ベッドフレーム５の下面には背上げ機構１３が設けられている。この背上げ機構１３は回動駆動される駆動される背上げアーム（図示せず）を有する。そして、上記第１、第２の床部１２ａ，１２ｂは上記背上げ機構１３の背上げアームによって起伏駆動されるようになっている。
【００１９】
上記床板体１１の上面には図１に鎖線で示すマットレス１４が載置され、このマットレス１４上に利用者が仰臥するようになっている。
【００２０】
上記ベッドフレーム５の両側部（一側のみ図示）には長手方向に等間隔で複数の保持部材１５が設けられている。図２と図３に示すように、各保持部材１５には厚さ方向に貫通した差込孔１６が穿設されている。そして、ベッドフレーム５の側部には一対の保持部材１５の差込孔１６に一対の脚部１７の下端部を挿入して側柵１８が着脱可能に取付けられる。
【００２１】
上記側柵１８は、図２に示すように上辺が利用者が把持したり、手をかけるための手掛け部１９に形成された枠状部材２１を有し、この枠状部材２１には一対の上記脚部１７が上記保持部材１５と同じ間隔で、しかも下端部を枠状部材２１の下辺から下方へ突出させて設けられている。
【００２２】
図３に示すように、一対の脚部１７の下端部を除く部分の外形寸法は、上記保持部材１５の差込孔１６の内径寸法よりも大きく設定され、この脚部１７の下端部は、その外形寸法が上記差込孔１６の内径寸法よりもわずかに小さな差込部１７ａに形成されている。この差込部１７ａの長さ寸法は、差込部１７ａを差込孔１６に挿入したときに、下端が上記差込孔１６からわずかに突出するよう設定されている。
【００２３】
一対の脚部１７の上記枠状部２１から突出した中途部には取付け部としての連結杆２２が架設されている。この連結杆２２には側柵１８が保持部材１５から抜け落ちるのを防止する抜け止め具２３が設けられる。
【００２４】
上記抜け止め具２３は、図４（ａ）〜（ｃ）に示すように、弾性材料としての棒鋼をほぼＶ字状に曲成するとともに、両端部をほぼ逆Ｕ字状の係合部２４に形成された第１の部材２５と、この第１の部材２５のＶ字状の屈曲部分に中間部が固着された直杆状の第２の部材２６を有する。
【００２５】
図３に示すように、上記係合部２４を上記連結杆２２に係合させた状態において、連結杆２２から第２の部材２６までの寸法Ｌ１  は、連結杆２２から差し込み部１７ａの下端までの寸法Ｌ２  よりもわずかに小さくなるよう設定されている。
【００２６】
側柵１８を抜け止め具２３によって保持部材１５、つまりベッドフレーム５から抜け落ちることがないよう保持するには、まず、側柵１８の脚部１７の下端部に形成された差し込み部１７ａを保持部材１５の差込孔１６に挿入する。
【００２７】
つぎに、抜け止め具２３の第１の部材２５の係合部２４を上記連結杆２２に回動可能に係合させ、この第１の部材２５を図３に鎖線で示す状態から矢印方向へ回動させる。
【００２８】
それによって、第２の部材２６は保持部材１５の下面側に入り込み、この下面から突出した脚部１７の差込部１７ａに当たる。その状態から第１の部材２５をさらに矢印方向へ回動させると、この第１の部材２５はＶ字状の幅寸法を小さくしながら高さ寸法が大きくなる弾性変形をするから、第２の部材２６が図３に実線で示すように保持部材１５の下面から突出した差込部１７ａの下端面を乗り越える。
【００２９】
したがって、抜け止め具２３は第２の部材２６が差込部１７ａに係合することで、保持部材１５との係合状態が外れることなく保持される。つまり、側柵１８が抜け止め具２３によってベッドフレーム５に固定されるから、側柵１８の脚部１７が保持部材１５の差込孔１６から抜けるのを防止できる。
【００３０】
それによって、側柵１８に利用者や他の人が不用意な外力を加えても、上記側柵１８がベッドフレーム５から抜け落ちるのを防止できる。
【００３１】
上記抜け止め具２３の第２の部材２６は直線状であり、中途部が第１の部材２５の屈曲部に固着されているから、その両端部に図２に示すようにそれぞれ排液バッグ３１を吊り下げることができる。
【００３２】
つまり、脳神経外科、心臓外科、泌尿器科などにおいては切開創内に誘導管をおき、創内の滲液や血液を外部に持続的に誘導排出する方法としてドレナージ治療が行われる。ドレナージ治療を行う場合に上記排液バッグ３１が必要となる。
【００３３】
従来、ドレナージ治療を行う場合に使用される排液バッグ３１は、ベッドフレーム５の側面に絆創膏で固定したり、専用の保持具をベッドフレーム５の側面に設けて取り付けるなどのことが行われていた。
【００３４】
しかしながら、前者の場合には排液バッグ３１の重量や絆創膏の粘着力が経時的に低下することで落下しやすいということがあり、後者の場合には専用の保持具を必要とするため、コストアップになるということがあった。
【００３５】
この発明では、側柵１８をベッドフレーム５に固定するための抜け止め具２３の第２の部材２６を直線状とし、この第２の部材２６の中途部をＶ字状の第１の部材２５の屈曲部に固着することで、その両端部を排液バッグ３１の保持部として利用できるようにしたから、排液バッグ３１を確実に保持できるばかりか、専用の部品を必要としないため、コストアップを招くこともない。
【００３６】
しかも、上記第２の部材２６はベッドフレーム５の上面よりも下方に位置するから、この第２の部材２６に保持される排液バッグ３１がマットレス１４上に仰臥する利用者よりも低い位置なるため、利用者からの滲液や血液などを確実に排液バッグ３１に流すことができる。
【００３７】
上記一実施の形態では、抜け止め具２３の係合部２４を係合させるための取付け部として側柵１８の一対の脚部１７に連結杆２２を架設したが、連結杆２２に代わり、側柵１８の枠状部２１の下辺を取付け部として利用し、そこに第１の部材２５の係合部２４を回動可能に係合させるようにしても差し支えない。その場合、第２の部材２６を保持部材１５に係合させることができるよう、第１の部材２５の高さ寸法を設定すれば、上記一実施の形態と同様、抜け止め具２３を良好に使用することができる。
【００３８】
また、第１の部材２５の形状はＶ字状だけでなく、Ｕ字状など他の形状であってもよく、要は第２の部材２６を保持部材１５に係合させるときに弾性的に変形可能な形状であればよい。
【００３９】
【発明の効果】
請求項１の発明によれば、側柵の脚部を保持部材の差込孔に挿入して側柵をベッドフレームに設けたときに、抜け止め具の第１の部材を側柵に係合させ、この第１の部材に一体的に連結された第２の部材を保持部材に係合させることができるようにした。
【００４０】
そのため、側柵は抜け止め具によって保持部材に連結され、その脚部が差込孔から抜け出るのが防止されることになるから、側柵に不用意な外力が加わっても、この側柵がベッドフレームから外れるのを確実に防止することができる。
【００４１】
しかも、抜け止め具は、第１の部材を弾性的に変形させて保持部材に係合させるため、側柵をベッドフレームに保持したり、その保持状態を解除する作業を容易に行うことができる。
【００４２】
請求項２の発明によれば、抜け止め具の第２の部材を排液用のバッグを保持するために利用するようにした。
【００４３】
そのため、排液用バッグを確実に保持することができるばかりか、排液用のバッグを保持するために専用の部材を必要としないから、経済的である。
【００４４】
しかも、上記第２の部材は、保持部材の下面側に係合するため、ベッドフレームの上面よりも下方に位置する。
【００４５】
したがって、第２の保持部材に保持される排液バッグはベッドフレーム上に仰臥する利用者よりも下方に位置するため、利用者からの滲液や血液などの排出を確実に行うことができる。
【図面の簡単な説明】
【図１】この発明の一実施の形態を示すベッド装置の側面図。
【図２】ベッドフレームに側柵を取付けた状態の斜視図。
【図３】側柵を抜け止め具によって保持した状態の断面図。
【図４】（ａ）抜け止め具を示す平面図、（ｂ）は正面図、（ｃ）は底面図。
【符号の説明】
５…ベッドフレーム
１５…保持部材
１６…差込孔
１７…脚部
１８…側柵
２３…抜け止め具
２４…係合部
２５…第１の部材
２６…第２の部材
【図１】
0003694631.tif 000002
【図２】
0003694631.tif 000003
【図３】
0003694631.tif 000004
【図４】
0003694631.tif 000005